(57)【要約】【課題】作業者が作業しやすい位置に収納部を形成するための消防自動車用操作盤、及びこの消防自動車用操作盤を備えた消防自動車を提供する。【解決手段】消防自動車用操作盤１は、消防用器具２３を収納するための収納部２２を有する車体２１に設けられ、操作部２を有し、車体２１に回動可能に取り付けられた操作盤本体３を備え、操作部２の不使用時に、操作部２は収納部２２側に配置され、操作部２の使用時に、操作盤本体３を回動させ、操作部２を車体２１の外部に露出させる構成をとる。【選択図】図２
2020099598.tif 000002
【特許請求の範囲】
【請求項１】
消防用器具を収納するための収納部を有する消防自動車の車体に設けられる消防自動車用操作盤であって、
操作部を有し、前記車体に回動可能に取り付けられた操作盤本体を備え、
前記操作部の不使用時に、前記操作部は前記収納部側に配置され、
前記操作部の使用時に、前記操作盤本体を回動させ、前記操作部が前記車体の外部に露出される、
ことを特徴とする消防自動車用操作盤。
【請求項２】
前記収納部の扉を構成し、
前記操作盤本体を回動させ、前記収納部と前記車体の外部とが連通されることで、
前記収納部に収納されている前記消防用器具を取り出し可能である、
請求項１に記載の消防自動車用操作盤。
【請求項３】
前記操作盤本体を回動させるための回動軸を有し、
前記操作部の信号を送受信する配線が、前記回動軸の内部に通されている、
請求項１又は請求項２に記載の消防自動車用操作盤。
【請求項４】
請求項１から請求項３の何れか一項に記載の消防自動車用操作盤を備えている消防自動車。
【請求項５】
前記車体の側部に、水源の水面に浮遊し、取水する消防用水中ポンプを備えている、
請求項４に記載の消防自動車。
【発明の詳細な説明】
【技術分野】
【０００１】
本発明は、消防自動車用操作盤、及びその消防自動車用操作盤を備えた消防自動車に関する。
【背景技術】
【０００２】
消防自動車の車体の側部には、回転計、圧力計、真空計などの計器類、操作レバーやクリック操作で出力を設定する入力ボタンを含む操作部が設けられている（例えば、特許文献１）。従来の消防自動車において、操作部は、車体の外側に露出されて取り付けられている。また、この操作部は、作業者がモニタを確認しながら操作を行ったり、数値を細かく調整したりするために、作業者が操作しやすい位置に取り付けられている。
【０００３】
一方、消防自動車の車体の内部には収納部が形成されており、この収納部には、延長ホースなどの消防用器具が積載されている。この延長ホースは、緊急時に使用されるため、取り出し易さが求められ、収納部は、作業者が運び出しやすい位置（場所）に形成されていることが望まれている。
【先行技術文献】
【特許文献】
【０００４】
【特許文献１】特開２０１３-００５９３２号公報
【発明の概要】
【発明が解決しようとする課題】
【０００５】
特許文献１の消防自動車のように、車体の側部に操作部が設けられている場合、収納部は、一般的に、操作部よりも上側の位置、あるいは下側の位置に形成される。操作部は、作業者の作業がしやすい位置に取り付けられているため、収納部が操作部よりも上側に形成されていると、背伸びした姿勢で、消防用器具を取り出す必要が生じると共に、収納部の奥に収納されているものを視認することはできない。一方、収納部が操作部よりも下側に形成されていると、作業者は腰を曲げた姿勢で、収納部から消防用器具を取り出さなければならないため、身体に負担が生じる。
【０００６】
そこで、本発明は、作業者が作業しやすい位置に収納部を形成するための消防自動車用操作盤、及びこの消防自動車用操作盤を備えた消防自動車を提供することを目的とする。
【課題を解決するための手段】
【０００７】
本発明の消防自動車用操作盤は、消防用器具を収納するための収納部を有する消防自動車の車体に設けられる消防自動車用操作盤であって、操作部を有し、車体に回動可能に取り付けられた操作盤本体を備え、操作部の不使用時に、操作部は収納部側に配置され、操作部の使用時に、操作盤本体を回動させ、操作部が車体の外部に露出されることを特徴とする。
【０００８】
本発明の消防自動車用操作盤は、収納部の扉を構成し、操作盤本体を回動させ、収納部と車体の外部とが連通されることで、収納部に収納されている消防用器具を取り出し可能であることが好ましい。
【０００９】
本発明の消防自動車用操作盤は、操作盤本体を回動させるための回動軸を有し、操作部の信号を送受信する配線が回動軸の内部に通されていることが好ましい。
【００１０】
本発明の消防自動車は、上述の消防自動車用操作盤を備えることが好ましい。
【００１１】
本発明の消防自動車は、車体の側部に、水源の水面に浮遊し、取水する消防用水中ポンプを備えていることが好ましい。
【発明の効果】
【００１２】
本発明に係る消防自動車用操作盤は、消防自動車の車体に回動可能に取り付けられ、操作部の使用時に、操作盤本体を回動させ、操作部が車体の外部に露出されるため、収納部を自動車操作盤と同じ高さ位置に形成することができる。そうすると、作業者は、背伸びした姿勢や腰を曲げた姿勢をとることなく、収納部から消防用器具を容易に取り出すことができる。このように、本発明に係る消防自動車用操作盤を消防自動車に適用することで、作業者が作業しやすい位置に操作部及び収納部を設けることができる。
【００１３】
また、本発明に係る消防自動車用操作盤は、操作部の不使用時に、操作部が収納部側に配置される。そのため、消防自動車が走行しているときに、操作部に対し、外部から衝撃を受けることを回避でき、外部からの衝撃によって、例えば、操作部のスロットルハンドルや計器が破損することを回避できる。
【００１４】
本発明に係る消防自動車は、上記の消防自動車用操作盤を備えているため、作業者の作業負担を軽減し、作業者は、迅速に作業することができる。さらに、本発明に係る消防自動車は、水源の水面に浮遊し、取水する消防用水中ポンプも備えることで、水源の水面変動によって取水量の変化を心配することなく、水を安定して送水することができる。
【図面の簡単な説明】
【００１５】
【図１】本発明の実施形態に係る消防自動車用操作盤を備えた消防自動車の側面図である。
【図２】本発明の実施形態に係る消防自動車用操作盤を備えた消防自動車の上面図である。
【図３】本発明の実施形態に係る消防自動車用操作盤を示す図である。（ａ）上面図、（ｂ）側面図
【図４】本発明の実施形態に係る消防自動車用操作盤を示す図である。（ａ）正面図、（ｂ）背面図
【発明を実施するための形態】
【００１６】
本実施形態に係る消防自動車用操作盤、及びこの消防自動車用操作盤を備えた消防自動車を、図１から図４を参照し、説明する。
なお、図１及び図２に基づいて、消防自動車の長さ方向を前後方向Ｘ、高さ方向を上下方向Ｙ、幅方向を左右方向Ｚとする。
【００１７】
消防自動車用操作盤１（以下、操作盤１と記す。）は、図１及び図２に示すように、消防自動車２０の車体２１の前後方向Ｘの中央、かつ車体２１の上下方向Ｙのほぼ中間の位置に取り付けられている。この高さ位置は、作業者が通常の姿勢における手の高さ位置とほぼ同じである。また、この操作盤１は、車体の左右方向Ｚの左側部、右側部に１つずつ設けられている。
操作盤１は、主として、消火作業を行う際に使用される。車体２１の内部には、収納部２２が形成されており、操作盤１は、この収納部２２の扉の役割を担っている。
【００１８】
収納部２２は、車体２１の左側部と右側部とを連通するように形成されたスペースであり、この収納部２２には、消防用器具２３である消防用ホースが３つ収納されている。収納部２２には、消防用ホース以外の消防用器具２３を収納することもできる。
車体２１の前後方向Ｘの後方には、吸管２４が環状に取り付けられており、吸管２４が取り付けられている内側に消防用水中ポンプ２５が備え付けられている。この消防用水中ポンプ２５は、取水する際に、水源の水面に浮遊させ使用される。また、消防自動車２０は、車体２１の中央の下側に放水口２６を備えている。
【００１９】
操作盤１は、図３（ａ）に示すように、操作部２を有する操作盤本体３と、この操作盤本体３の側部３Ａに接続され、回動軸４が通される円筒状の筐体５とを備えている。回動軸４には、大型のベアリングが使用されている。また、図３（ｂ）に示すように、操作盤本体３の筐体５が接続されている側部３Ａと反対側の側部３Ｂには、係合部９が設けられている。この係合部９は、操作盤１を閉じたときに、車体２１側に形成された係合部にロックされる。
【００２０】
操作部２は、図４（ａ）に示すように、エンジンを調速するためのスロットルハンドル６、放水状態等を確認するためのモニタ７、流量や圧力を示す複数の計器８を備えている。スロットルハンドル６や計器８には電気式が採用されている。また、操作部２の信号を送受信する配線は、回動軸４（筐体５）の内部に配置されている（図示しない）。
この操作部２は、図４（ｂ）に示すように、操作盤１の背面からは認識できないように形成されている。
【００２１】
次に、操作盤１の動作について、説明する。
なお、以下、開状態とは、操作部２が車体２１の外側（外部）を向き、外側に露出されている状態を意味し、閉状態とは、操作部２が車体の外側に露出せず、収納部２２側（内側）を向いている状態を意味する。
【００２２】
操作盤１は、操作部２の不使用時に、閉状態とされ、操作部２は収納部２２側に配置され、作業者は、収納部２２の内部は視認することができない。
一方、操作部２の使用時には、操作盤本体３を回動させ、開状態とされ、操作部２は車体２１の外部に露出される。この際、操作盤本体３を車体２１に固定することができるため、収納部２２の内部を視認する際、操作盤本体３が妨げにならない。
作業者は、操作盤１を開状態としてから、操作部２を操作する。
【００２３】
次に、本実施形態に係る操作盤１、及び消防自動車２０の作用効果について、説明する。
【００２４】
本実施形態に係る操作盤１は、使用時に開状態とするため、収納部２２を操作盤１と同じ高さに形成することができる。つまり、収納部２２を車体２１の上下方向Ｙの中間の位置である、作業者の通常の姿勢における手の高さ位置に形成することができる。そのため、作業者は、背伸びした姿勢や腰を曲げた姿勢をとることなく、収納部２２から消防用器具２３を容易に取り出すことができる。また、操作盤１は、収納部２２に対し、扉の役割を担うため、操作盤１を閉状態とすることで、消防用器具２３が収納部２２から落下することを防止できる。
【００２５】
本実施形態に係る操作盤１の操作部２は、閉状態において、収納部２２側を向いているため、外部に露出されない。そうすると、消防自動車２０が走行しているときに、操作部２は、外部から衝撃を受けない。したがって、外部からの衝撃によって、スロットルハンドル６や計器８が破損することを回避できる。
【００２６】
本実施形態に係る操作盤１の操作部２は、不使用時には、収納部２２側を向いているため、作業者が誤操作することを回避できると共に、第三者のいたずらによる操作も抑制できる。
さらに、本実施形態に係る操作盤１の操作盤本体３は、開状態において、車体２１の側部に固定できるため、操作部２の操作性を向上させることができ、作業者は操作しやすくなる。
【００２７】
本実施形態では、操作部２の信号を送受信する配線が、回動軸４の内部に通され、露出しないため、外観を損なうことを回避すると共に、配線が作業者の作業の妨げになることも回避できる。また、この回動軸４には、大型のベアリングを使用しているため、操作盤１を、ぶれることなく確実に回動させることができる。
【００２８】
本実施形態に係る消防自動車２０が備えている消防用水中ポンプ２５は、貯水槽や池などの水源地の水をくみ上げるために使用される。この消防用水中ポンプ２５は、ポンプ本体と、このポンプ本体の周囲全体を覆う浮き部材と、ポンプ本体とフロートを覆うカバー材と、２つのショルダーベルトとを備えている。作業者は、ショルダーベルトに腕を通し、消防用水中ポンプ２５を背負い、水源地まで運ぶことができる。この消防用水中ポンプ２５を使用することで、水源の水面変動によって取水量の変化を心配することなく、水を安定して送水することができる。
【００２９】
本実施形態に係る消防自動車２０は、車体２１の上下方向Ｘにおいて、下端部に消火用ホースが接続される放水口２６を備えている。そのため、消火用ホースが作業者の作業の大きな妨げとならず、作業者は、円滑に作業を進めることができる。
【００３０】
以上、本実施形態について説明したが、これ以外にも、本発明の主旨を逸脱しない限り、上記実施の形態で挙げた構成を取捨選択したり、他の構成に適宜変更することが可能である。
例えば、本実施形態では、収納部２２が車体２１の右側部と左側部に連通されている例を示したが、収納部２２の形態は、適宜決定することができる。また、本実施形態では、操作盤１を車体２１の左右方向Ｚの両側に設けた例を示したが、片側にのみ設けることもできる。
【符号の説明】
【００３１】
１      消防自動車用操作盤（操作盤）
２      操作部
３      操作盤本体
３Ａ，３Ｂ  側部
４      回動軸
５      筐体
６      スロットルハンドル
７      モニタ
８      計器
９      係合部
２０    消防自動車
２１    車体
２２    収納部
２３    消防用器具
２４    吸管
２５    消防用水中ポンプ
２６    放水口
Ｘ      前後方向
Ｙ      上下方向
Ｚ      左右方向
【図１】
2020099598.tif 000003
【図２】
2020099598.tif 000004
【図３】
2020099598.tif 000005
【図４】
2020099598.tif 000006